(57)【要約】【課題】食品を混ぜ合わせるときに、手や衣服が食品で汚れるのを防ぐことができ、また、食品を容易かつ迅速に混ぜ合わせることができる袋入り食品を提供する。【解決手段】袋２が、気密性で、内部に袋対面を接着させて成るシール部４を有している。袋２は、内部がシール部４により複数の気密室５ａ，５ｂ，５ｃに分かれている。気密室５ａ，５ｂ，５ｃは、中央に配置された主食品用の気密室５ａと、それを挟むように配置された１対の調味料用の気密室５ｂ，５ｃとから成る。シール部４は、剥離させて各気密室５ａ，５ｂ，５ｃを連通可能に構成されている。袋２は、主食品用の気密室５ａに連通した開口２ｂを有している。キャップ３が、袋２の開口２ｂを開閉可能に設けられ、開口２ｂを密閉可能になっている。各食品は、それぞれ異なる種類から成り、それぞれ別々に各気密室５ａ，５ｂ，５ｃに封入されている。【選択図】図１
0003113526.tif 000002
【実用新案登録請求の範囲】
【請求項１】
気密性の袋の内部に袋対面を接着させて成るシール部を有し、前記袋は内部が前記シール部により複数の気密室に分かれており、前記シール部は剥離させて各気密室を連通可能に構成され、各気密室にそれぞれ異なる食品が封入されていることを、特徴とする袋入り食品。
【考案の詳細な説明】
【技術分野】
【０００１】
本考案は、納豆などの食品に用いることができる袋入り食品に関する。
【背景技術】
【０００２】
調味料を入れて食べる代表的な食品として、納豆がある。一般的に、納豆は、ワラつとや樹脂、紙製の容器に入れられ、その容器にしょうゆやからしなどの調味料の袋が添付された状態で出荷される。調味料の袋を開けて調味料を容器に入れ、箸でかき混ぜれば、調味料で味付けされた食品を食べることができる（例えば、特許文献１または２参照）。
【０００３】
【特許文献１】特開２００２−２８４２１５号公報
【特許文献２】実用新案登録第３１０５７１１号公報
【考案の開示】
【考案が解決しようとする課題】
【０００４】
しかしながら、特許文献１または２記載の納豆容器では、調味料を混ぜ合わせるときに、手や衣服などに調味料や納豆などが付いて汚しやすいという課題があった。また、混ぜ合わせて食べるまでに、調味料の袋を容器から取り出し、その袋を開け、納豆にかける手間を要するという課題もあった。
【０００５】
本考案は、このような従来の課題に着目してなされたもので、食品を混ぜ合わせるときに、手や衣服が食品で汚れるのを防ぐことができ、また、食品を容易かつ迅速に混ぜ合わせることができる袋入り食品を提供することを目的とする。
【課題を解決するための手段】
【０００６】
上記目的を達成するために、本考案に係る袋入り食品は、気密性の袋の内部に袋対面を接着させて成るシール部を有し、前記袋は内部が前記シール部により複数の気密室に分かれており、前記シール部は剥離させて各気密室を連通可能に構成され、各気密室にそれぞれ異なる食品が封入されていることを、特徴とする。
【０００７】
本考案に係る袋入り食品は、例えば、納豆と調味料のように、互いに混ぜ合わせて食べる食品がそれぞれ各気密室に封入される。本考案に係る袋入り食品は、食べる際にシール部を剥離させる。これにより各気密室を連通させ、袋を外側から手で揉んで、袋の内部で各食品を混ぜ合わせる。
【０００８】
このように、袋の内部で異なる食品を混ぜ合わせることができるため、混ぜ合わせる際に手や衣服が食品で汚れるのを防ぐことができる。また、調味料などの袋を容器から取り出したり開けたりかけたりする手間をかけずに、シール部を剥離させて袋を外側から手で揉むだけで、異なる食品を容易かつ迅速に混ぜ合わせることができる。
【０００９】
好みの程度に混ぜ終えたならば、袋を開けて混ぜ合わせた食品を取り出し、食べることができる。なお、本考案に係る袋入り食品は、各食品を互いに混ぜ合わせることなく、各気密室から個々に取り出して食べてもよい。
【考案の効果】
【００１０】
本考案によれば、食品を混ぜ合わせるときに、手や衣服が食品で汚れるのを防ぐことができ、また、食品を容易かつ迅速に混ぜ合わせることができる袋入り食品を提供することができる。
【考案を実施するための最良の形態】
【００１１】
以下、図面に基づき本考案の実施の形態について説明する。
図１は、本考案の実施の形態の袋入り食品を示している。
図１に示すように、袋入り食品１は、袋２とキャップ３と３種類の食品（図示せず）とを有している。
【００１２】
袋２は、気密性で、同じ大きさの２枚の透明なビニールシートを互いに重ね合わせ、周囲２ａを熱溶着で接着して形成されている。袋２は、矩形状に形成され、内部に２本の細長い直線状のシール部４を有している。各シール部４は、袋対面を熱溶着で接着させて成り、矩形状の袋２の短辺側の縁部と平行をなし、長辺側の縁部と両端が接続して袋２の内部を３つの気密室５ａ，５ｂ，５ｃに仕切っている。中央の気密室５ａは主食品封入用であり、その両側の気密室５ｂ，５ｃは気密室５ａより巾が狭く、調味料封入用である。シール部４は、剥離させて各気密室５ａ，５ｂ，５ｃを連通可能に構成されている。袋２は、長辺側の縁部の一方の中央に、気密室５ａに連通した開口２ｂを有している。
【００１３】
キャップ３は、袋２の開口２ｂを開閉可能に設けられ、開口２ｂを密閉可能になっている。
各食品は、互いに混ぜ合わせて食べるそれぞれ異なる種類の食品から成り、それぞれ別々に各気密室５ａ，５ｂ，５ｃに封入されている。具体的な一例では、各食品はそれぞれ納豆と納豆用のたれとからしとから成り、納豆が気密室５ａに封入され、納豆用のたれが気密室５ｂに封入され、からしが気密室５ｃに封入されている。
【００１４】
次に、作用について説明する。
袋入り食品１が納豆を気密室５ａに封入し、納豆用のたれを気密室５ｂに封入し、からしを気密室５ｃに封入して成るとき、食べる際に、まず、シール部４を外側から指でつまんで引っ張り、剥離させる。これにより、各気密室５ａ，５ｂ，５ｃをそれぞれ連通させる。次に、袋２を外側から手で揉んで、袋２の内部で各食品、すなわち、納豆とたれとからしとを混ぜ合わせる。このとき、一方のシール部４だけを剥離させて、気密室５ａに封入された納豆と、気密室５ｂに封入された納豆用のたれとだけを混ぜ合わせてもよい。
【００１５】
このように、袋２の内部で納豆とたれとからしとを混ぜ合わせることができるため、混ぜ合わせる際に、手や衣服に納豆が付いて糸を引いたり、たれがこぼれて衣服を汚したりするのを防ぐことができる。また、納豆のたれやからしなどの袋を容器から取り出して、開けたりかけたりする手間をかけずに、シール部４を剥離させて袋２を外側から手で揉むだけで、容易かつ迅速に納豆に混ぜ合わせることができる。
【００１６】
好みの程度に混ぜ終えたならば、キャップ３を開けて、開口２ｂからたれやからしと混ぜ合わせた納豆を取り出し、ごはんにかけて食べることができる。なお、袋入り食品１は、各食品を互いに混ぜ合わせることなく、各気密室５ａ，５ｂ，５ｃから個々に取り出して食べてもよい。
各気密室５ａ，５ｂ，５ｃには、納豆やその調味料以外の食品、例えば、とろろ汁としょうゆ、ごはんなどを封入してもよい。
なお、キャップ３を設ける代わりに、袋２の周囲２ａの一部を、引っ張って剥離可能に熱溶着で接着させ、開封できるようにしてもよい。
【図面の簡単な説明】
【００１７】
【図１】本考案の実施の形態の袋入り食品を示す（ａ）正面図、（ｂ）Ａ−Ａ線端面図である。
【符号の説明】
【００１８】
１    袋入り食品
２    袋
３    キャップ
４    シール部
５ａ，５ｂ，５ｃ  気密室
【図１】
0003113526.tif 000003